(57)【要約】本発明の電子トリートメント装置は、ケーシングに設けられたイオン導入用のヘッド部及びグリップ電極と、ヘッド部に負の直流電圧と負の交番電圧（パルス電圧）とを重畳させて印加するイオン導入電圧供給回路等とを備えている。つまり、この装置によれば、高いイオン導入効果が得られ、化粧水や美容液などの有効成分を皮膚の奥深くへ浸透させることができる。
2004047915.tif 000002
【特許請求の範囲】
【請求項１】
ケーシングと、
前記ケーシングに設けられ、皮膚へイオン導入を行うための電極部と、
前記電極部に、負の直流電圧と負の交番電圧とを重畳させて印加する電圧供給手段と
を具備することを特徴とする電子トリートメント装置。
【請求項２】
前記電圧供給手段は、さらに、前記電極部に、正の直流電圧と正の交番電圧とを重畳させて印加することを特徴とする請求項１記載の電子トリートメント装置。
【請求項３】
前記電極部と皮膚との間に、水溶性の有効成分を含む溶液又は前記溶液が含浸された媒体が介在されることを特徴とする請求項１記載の電子トリートメント装置。
【請求項４】
前記電極部は、皮膚表面に接触させるように前記ケーシングから突出させて設けたイオン導入電極であって、
前記ケーシングの握り部分に配置されたグリップ電極と、
前記グリップ電極と皮膚との非接触を検出して報知を行う報知手段と
をさらに具備することを特徴とする請求項１記載の電子トリートメント装置。
【請求項５】
前記電圧供給手段は、さらに、前記電極部に、負の直流電圧と正負に交番する交番電圧とを重畳させて印加することを特徴とする請求項１記載の電子トリートメント装置。
【請求項６】
ケーシングと、
前記ケーシングに設けられ、皮膚へイオン導入を行うための電極部と、
前記電極部に正の直流電圧と正の交番電圧とを重畳させて印加する第１電圧供給手段と、
前記電極部に正負に交番する交番電圧を印加する第２電圧供給手段と、
前記電極部に負の直流電圧と負の交番電圧とを重畳させて印加する第３電圧供給手段と、
これら第１乃至第３電圧供給手段をいずれか一つ選択あるいは順に動作させるための切替手段と
を具備することを特徴とする電子トリートメント装置。
【請求項７】
前記電極部と皮膚との間に、水溶性の有効成分を含む溶液又は前記溶液が含浸された媒体が介在されることを特徴とする請求項６記載の電子トリートメント装置。
【請求項８】
前記電極部は、皮膚表面に接触させるように前記ケーシングから突出させて設けたイオン導入電極であって、
前記ケーシングの握り部分に配置されたグリップ電極と、
前記グリップ電極と皮膚との非接触を検出して報知を行う報知手段と
をさらに具備することを特徴とする請求項６記載の電子トリートメント装置。
【発明の詳細な説明】
【技術分野】  この発明は、例えば皮膚（肌）等の施術部位の状態を改善するための電子的なトリートメントを行う電子トリートメント装置に関する。
【背景技術】  従来、電子的美容法としてイオン導入法が利用されている。
イオン導入法は、化粧水や美容液に含まれる水溶性の有効成分を、肌に微弱電流を通電しつつ浸透させることで、美容液や化粧水による美容効果を効率良く得るためのものである。
この種の先行技術としては、イオン電極に直流の交番電圧を供給して皮膚に有効成分を導入しつつ同電極を超音波振動させることで、有効成分の皮膚への導入を皮膚トラブルを起こすことなく短時間に行えるようにした技術がある（例えば特開２００１−２５９０４５号公報参照）。
また、皮膚に対しての総合的な美容技術としては、クレンジングの段階と、マッサージの段階と、栄養供給の段階と、リフティングの段階との４つの段階で順に電流を供給しこれに赤外線と振動を併用する技術なども知られている（例えば、特開２０００−２１０３８５号公報参照）。
すなわち、この後者の特許文献の技術は、クレンジングの段階において、約２〜１０Ｈｚの周波数の正のガルバニック電流と連続的な正のガルバニック電流とを繰り返し供給する。また、マッサージの段階では、約２〜１０Ｈｚの周波数を有する正負のガルバニック電流を供給する。栄養供給の段階では、約２〜１０Ｈｚの周波数の負のガルバニック電流と連続的な負のガルバニック電流とを繰り返して供給する。さらに、リフティングの段階では、約０．５〜５Ｈｚの周波数が正負に可変する交番電流を供給する。
ここで、上述した前者の特許文献の技術は、皮膚のトラブルを起こさないことを前提にしていることから、皮膚のうち主に表皮に対するケアを目的としたものであるといえる。
また、後者の特許文献の技術は、電極への電流供給の仕方をさまざまに変えることで皮膚の総合的な美容を行えるものの、特に皮膚への栄養供給を行うためのイオン導入の技術については、負の交番電流と負の連続的な電流を繰り返して供給するものである。
すなわち、後者の特許文献の技術は、２つのパターンの電流を時間的にずらして供給するため、各パターンの電流供給の瞬間をとらえた場合、この際得られるイオンの導入力が十分であるとは言えず、前者の技術と同様、皮膚の奥深への有効成分の浸透効果を期待することができない。
【発明の開示】
本発明は、このような課題を解決するためになされたもので、皮膚の奥深くへ有効成分を浸透させることのできる電子トリートメント装置の提供を目的とする。
上記目的を達成するために、本発明の電子トリートメント装置は、ケーシングと、前記ケーシングに設けられ、皮膚へイオン導入を行うための電極部と、前記電極部に、負の直流電圧と負の交番電圧とを重畳させて印加する電圧供給手段とを具備することを特徴としている。
また、本発明の電子トリートメント装置は、前記電圧供給手段が、前記電極部に、正の直流電圧と正の交番電圧とを重畳させて印加することを特徴としている。
さらに、本発明の電子トリートメント装置は、前記電圧供給手段が、前記電極部に、負の直流電圧と正負に交番する交番電圧とを重畳させて印加することを特徴としている。
また、本発明の電子トリートメント装置は、ケーシングと、前記ケーシングに設けられ、皮膚へイオン導入を行うための電極部と、前記電極部に正の直流電圧と正の交番電圧とを重畳させて印加する第１電圧供給手段と、前記電極部に正負に交番する交番電圧を印加する第２電圧供給手段と、前記電極部に負の直流電圧と負の交番電圧とを重畳させて印加する第３電圧供給手段と、これら第１乃至第３電圧供給手段をいずれか一つ選択あるいは順に動作させるための切替手段とを具備することを特徴としている。
さらに、本発明の電子トリートメント装置は、前記電極部と皮膚との間に水溶性の有効成分を含む媒体が介在されることを特徴としている。
また、本発明の電子トリートメント装置は、前記電極部が、皮膚表面に接触させるように前記ケーシングから突出させて設けたイオン導入電極であって、前記ケーシングの握り部分に配置されたグリップ電極と、前記グリップ電極と皮膚との非接触を検出して報知を行う報知手段とをさらに具備することを特徴としている。
ここで、上記グリップ電極は、前記ケーシングの握り部分の例えば背面（イオン導入電極が配置される面に対する裏側面）や側面に配置すること等が例示される。
すなわち、本発明は、電極部に対しそれぞれ異なる電圧を印加する例えば第１〜第３電圧供給手段を、いずれか一つ選択あるいは一つずつを順に動作させること等が可能なので、肌のトリートメントを効果的に行うことができる。
また、本発明は、特にイオン導入時においては、電極部に、負の直流電圧と負の交番電圧とを重畳させて印加するので、負の直流電圧印加によって、媒体に含浸させた有効成分を皮膚の広い範囲に浸透させると共に、これに重畳させた負の交番電圧によって有効成分を皮膚の奥深まで浸透させることができる。
【図面の簡単な説明】  図１Ａは、本発明の一つの実施の形態である電子トリートメント装置の正面図である。
図１Ｂは、図１Ａに示した電子トリートメント装置の裏面図（背面図）である。
図２は、図１Ａに示した電子トリートメント装置の側面図である。
図３は、図１Ａに示した電子トリートメント装置の機能ブロック図である。
図４は、図１Ａに示した電子トリートメント装置のヘッド部へ付与されるプラスモード時の印加電圧を示す波形図である。
図５は、図１Ａに示した電子トリートメント装置のヘッド部へ付与されるマッサージモード時の印加電圧を示す波形図である。
図６は、図１Ａに示した電子トリートメント装置のヘッド部へ付与されるマイナスモード時の印加電圧を示す波形図である。
図７は、イオン導入モードにおける皮膚への有効成分の浸透原理を示す図である。
図８は、図４〜図６に示したモードと異なる他のトリートメントモード時におけるヘッド部への印加電圧を示す波形図である。
【発明を実施するための最良の形態】  以下、本発明を添付の図面に従ってより詳細に説明する。
図１Ａは、本発明を実施する一つの形態である電子トリートメント装置を示す正面図、図１Ｂは、この電子トリートメント装置の裏面図（背面図）、図２は、この電子トリートメント装置の側面図、図３は、この電子トリートメント装置の機能ブロック図である。
図１Ａ、図１Ｂに示すように、本実施形態の電子トリートメント装置１は、ユーザが自身で美肌トリートメントを行えるハンディタイプの美容装置である。この電子トリートメント装置１は、例えば円柱を径方向に扁平させた形状で装置本体の外郭を形成するケーシング（筺体）１１と、イオン導入電極としてのヘッド部１２と、電池収容ケース１３とを有している。ヘッド部１２は、ケーシング１１の一端部から当該ケーシング１１の長手方向とほぼ直交する方向に突出させて設けられている。また、ヘッド部１２は、トリートメント対象の皮膚（施術部位）に面で当接するように平坦な先端部を持つ円錐台形状に形成されている。
電池収容ケース１３は、この装置の電源である電池をケーシング１１内に収容するためのケースである。なお、電子トリートメント装置１の給電手段としては、ＡＣ（交流）アダプタや充電池等を利用してもよい。ケーシング１１の背面には、電源／モードスイッチ１４、電源／モード表示用ＬＥＤ１５、強さ切替スイッチ１６、強さ表示用ＬＥＤ１７、グリップ電極１８などが配置されている。
電源／モードスイッチ１４は、主電源のオン／オフ（ＯＮ／ＯＦＦ）、トリートメントモードの切り替えをユーザが行うためのスイッチである。この電源／モードスイッチ１４は、例えば１秒以上の長押しで電源をオン／オフする電源スイッチ、及び０．５秒以下の短押しでモード切替スイッチとして動作するマルチファンクションスイッチである。強さ切替スイッチ１６は、個々のトリートメントの時間・レベル（強さ）をユーザが選択するためのスイッチである。電源／モード表示用ＬＥＤ１５は、主電源がオンされたときに点灯し、オフされたときに消灯する。この電源／モード表示用ＬＥＤ１５は、トリートメントモードの切り替え操作により赤、黄、緑などに発光色が変化する。強さ表示用ＬＥＤ１７は、大、中、小などの３段階にレベル分けされたマークに該当する部位のものが点灯する。つまり、これらＬＥＤ１５，１７は、各トリートメントモードを選択時において、各種ステータスの表示や、ユーザによる選択・設定内容の表示を行う表示手段である。
図２に示すように、ケーシング１１の側面には、グリップ電極１８が設けられている。ケーシング１１内には、ヘッド部１２とグリップ電極１８間をプラス（正）電位および／またはマイナス（負）電位に維持するよう直流電圧を供給、あるいはプラス・マイナス（正負）に交番する交流電圧を供給する制御系２８（図３参照）が実装されたプリント基板（図示せず）などが収容されている。
図３に示すように、制御系２８は、制御部２１、操作入力部２２、報知部２３、マッサージ電圧供給回路２４、イオン導入電圧供給回路２５、クレンジング電圧供給回路２６、切替回路２７などを有している。
制御部２１は、この電子トリートメント装置の全体的な制御や各種演算を実行するプロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）を内蔵する。ＲＯＭには実行される制御や演算のためのプログラムや各種パラメータなどのソフトウェアが格納されており、プロセッサはこのＲＯＭからソフトウェアを読み込み、命令文を解釈し、ＲＡＭのメモリ空間を用いて命令を実行する。この制御部２１のソフトウェアの一機能として、トリートメントを自動的に終了させるためのタイマー機能が備えられている。このタイマー機能において設定操作を行うことでトリートメントモードの時間を変更できる。デフォルトでは、例えば５分程度に設定されている。
操作入力部２２は、ケーシング１１に設けられた電源／モードスイッチ１４、強さ切替スイッチ１６の操作の状態を監視してその監視結果であるユーザからの入力命令を制御部２１に通知する。切替回路２７および制御部２１は、ユーザによる電源／モードスイッチ１４のモード切替え操作に応じて、ケーシング１１における電極部（ヘッド部１２、グリップ電極１８）とマッサージ電圧供給回路２４、クレンジング電圧供給回路２６、イオン導入電圧供給回路２５との接続状態を切り替えると共に、接続状態を切り替えた一つの電圧供給回路を選択、あるいは電圧供給回路を一つずつ順に動作させるための切替手段である。
報知部２３は、上記ＬＥＤ１５，１７などの表示手段とユーザに対する警報および案内を行うブザー（図示せず）音声通知手段などである。ユーザに対する警報例としては、例えばユーザがグリップ電極１８から手を離したときに警告音を発する。また、ユーザに対する案内例としては、例えばイオン導入時にブザー音を発することでトリートメントの合図を行うことである。
なお、報知部２３は、グリップ電極１８にユーザの皮膚が接触しているか否か、つまり皮膚とグリップ電極１８との非接触を検知できるように、グリップ電極１８が皮膚に接触したときに生じる例えば微弱な交流電圧を検出する回路等で構成される。なお、報知部２３は、接点式の他、静電容量や抵抗等のインピーダンス変化を検知するものや、圧電素子によって圧力変化を検知するものであってもよい。
クレンジング電圧供給回路２６は、制御部２１による制御の下、ヘッド部１２側をプラス（正極）、グリップ電極１８をマイナス（負極）として、ヘッド部１２に正の直流電圧と正の交番電圧とを重畳させて印加する第１電圧供給手段として機能する。
マッサージ電圧供給回路２４は、制御部２１による制御の下、電極部（ヘッド部１２とグリップ電極１８）に正負に交番する交番電圧（交流パルス電圧）を印加する第２電圧供給手段である。
イオン導入電圧供給回路２５は、制御部２１による制御の下、ヘッド部１２側をマイナス（負極）、グリップ電極１８をプラス（正極）として、電極部（ヘッド部１２とグリップ電極１８）にイオン導入のための電圧を印加する第３電圧印加手段として機能する。
電子トリートメント装置１によるイオン導入は、皮膚の施術部位、例えば顔面などの肌に化粧水や美容液をつけ、その上からヘッド部１２を押し当てて電圧印加、つまりヘッド部１２をマイナス電位としグリップ電極１８をプラス電位とする電圧差を発生させることで行われる。これにより、化粧水や美容液を介して皮膚に微弱な電流を流し、化粧水や美容液に含まれるイオン化された水溶性の有効成分を、皮膚（肌）に効率的に浸透させることができる。有効成分とは、例えばビタミンＣ、Ｅなどである。
イオン導入電圧の供給方法としては、連続直流電圧供給、パルス直流電圧供給、パルス脱分極直流電圧供給、交流電圧供給（交番電圧供給）などがある。
この他、本装置のマイナスモードにおいては、マイナス直流電圧とマイナス直流パルス電圧との重畳供給をヘッド部１２に対して行うものとする。また、プラスモードにおいては、ヘッド部１２に対しプラス直流電圧とプラス直流パルス電圧との重畳供給を行い、マッサージモードにおいては、ヘッド部１２に対しプラス・マイナスの交流電圧供給などを行う。
マイナスモードにおけるマイナス直流電圧とマイナス直流パルス電圧との重畳供給方法は、ヘッド部１２に対しマイナス（負）の直流電圧を連続的に印加し（一定電圧を印加し）つつ、このマイナス（負）側で交番する直流のパルス電圧を重畳して供給する方法である。パルス電圧は、例えば５０Ｈｚ等の周波数で０Ｖと−８Ｖを交番する矩形波である。上記パルス電圧の周波数は、例えば１〜２００Ｈｚの範囲内にあることが好ましい。
ユーザは、ケーシング１１上の強さ切替スイッチ１６の操作によってイオン導入のレベル、すなわち、グリップ電極１８とヘッド部１２間に加える電圧を、大、中、小の３段階に調整することができる。例えば−８Ｖから−３６Ｖの間で３段階にレベルを調整できるようになっている。ここで、例えば−８Ｖから−３６Ｖの間でのレベル調整を５段階、７段階といったように３段階を超える複数の段階で調整を行えるようにしてもよい。
以下、この電子トリートメント装置の動作を説明する。
まず、プラスモードについて説明する。
この場合、電源／モード切替スイッチ１４を長押しして電源をオンし、動作モードをプラスモードに切り替えると、制御部２１は、切替回路２７を制御して、クレンジング電圧供給回路２６を電極部（ヘッド部１２およびグリップ電極１８）に接続すると共に、電源／モード表示用ＬＥＤ１５を緑色に発光させる。
このプラスモードの状態では、ヘッド部１２がプラス、グリップ電極１８がマイナスとされ、図４に示すように、ヘッド部１２は、プラスの直流電圧Ｓ１に周波数５０Ｈｚのプラスのパルス電圧Ｓ２が重畳して印加された状態になる。
このプラスモードの状態で、ケーシング１１を持ったままヘッド部１２を施術部位に当接させると、プラスの直流電圧Ｓ１の印加により、肌の広い範囲の汚れがヘッド部１２に吸着される。また、この直流電圧Ｓ１と重畳されたパルス電圧Ｓ２の刺激によって、肌の奥深くの汚れがたたき出される。つまり、直流電圧Ｓ１とパルス電圧Ｓ２との相乗効果で、マイナスに帯電した汚れ成分が肌の奥深くからたたき出されてヘッド部１２に吸着されるので、肌のクレンジングを効率的に行える。また、このモードでトリートメントを行うことにより毛穴が引き締まり肌のきめを整える効果等が得られる。
続いて、マッサージモードについて説明する。
本装置の電源をオンした状態で、電源／モード切替スイッチ１４を短押しして、動作モードをマッサージモードに切り替えると、制御部２１は、切替回路２７を制御して、マッサージ電圧供給回路２４を電極部（ヘッド部１２およびグリップ電極１８）に接続すると共に、電源／モード表示用ＬＥＤ１５を黄色に発光させる。
このマッサージモードの状態では、図５に示すように、電極部（ヘッド部１２とグリップ電極１８）にプラス・マイナスに交番する例えば周波数５０Ｈｚと周波数１０Ｈｚの交流パルス電圧Ｓ３が交互に印加され、電極部（ヘッド部１２とグリップ電極１８）の極性が、プラスとマイナスに瞬時に変化する状態になる。
このマッサージモードの状態で、ケーシング１１を持ったままヘッド部１２を施術部位に当接すると、皮膚の中のイオンが上下に動くようになり、肌が活性化されるので、肌に有効成分が導入しやすい状態になる。
周波数１０Ｈｚの交流パルス電圧では、肌の組織を深く活性化し、周波数５０Ｈｚの交流パルス電圧では、肌の組織を広く活性化する。このような低周波の刺激によって、筋肉をほぐし、毛穴を開きやすくできる。
続いて、マイナスモードについて説明する。
本装置の電源をオンした状態で、動作モードをマイナスモードに切り替えると、制御部２１は、切替回路２７を制御して、イオン導入電圧供給回路２５を電極部（ヘッド部１２およびグリップ電極１８）に接続すると共に、電源／モード表示用ＬＥＤ１５を赤色に発光させる。
このマイナスモードの状態では、報知部２３からブザー音が発音されて、トリートメントの合図が行われる。また、ヘッド部１２がマイナス、グリップ電極１８がプラスとされ、図６に示すように、ヘッド部１２は、マイナスの直流電圧Ｓ４に周波数５０Ｈｚのマイナスのパルス電圧Ｓ５が重畳して印加された状態になる。
このマイナスモードの状態で、図７に示すように、顔面などの皮膚表面Ｈ１の施術部位に、化粧水あるいは美容液などの美容処理剤を染み込ませた（含浸させた）コットン３０（媒体）をあてがい、ユーザがケーシング１１を手で持ってヘッド部１２をコットン３０の上に押し当てる。これにより、マイナスの直流電圧Ｓ４の印加によってマイナスイオンが発生しコットン３０の化粧水あるいは美容液の有効成分が、矢印Ｋ１に示すように皮膚（表皮Ｈ２）の広い範囲に浸透する。また、マイナスイオンの作用によって毛穴が開く。ここで、イオン導入（電圧の印加）が正しく行われていることをユーザが把握できるように、ケーシング１１を持つ手がグリップ電極１８から離れると、これを報知部２３が検知して警報音を発生させる。
さらに、このマイナスの直流電圧Ｓ４に重畳されたマイナスのパルス電圧Ｓ５の電気的な刺激（反発力）によって、化粧水あるいは美容液の有効成分が、矢印Ｋ２に示すように皮膚の奥深く（真皮Ｈ３）へたたき込まれる。
なお、上記コットン等を用いずに、水溶性の有効成分を含む溶液、つまり化粧水や美容液を、例えば顔面などの肌面に塗布した後、上述したマイナスモード（イオン導入）を行うようにしてもよい。
ここで、上記コットン３０に染み込ませる美容処理剤としては、具体的には各種のビタミンやセラミド、またコラーゲン（コラーゲンビーズなどを含む）や美白剤のような美容成分、各種化粧品として用いられている化粧成分、紫外線吸収（もしくは反射）剤（日焼け抑制）、保湿剤、油分補給剤、炎症抑制剤のような皮膚保護成分などを含むもの、また場合によっては洗顔成分などを含むものが用いられる。これら各成分は１種または２種以上の混合物として使用することができる。さらに、これら美容処理剤の主目的成分に加えて、抗炎症作用や抗酸化作用などを有する成分を配合したり、また香料や顔料などを副成分として添加してもよい。
美容処理剤の主目的成分としてのビタミンには、ビタミンＡ油（ビタミンＡパルミテート）、ビタミンＥ油（ｄ１−α−トコフェロール）、ビタミンＣ（テトラ２−ヘキシルデカン酸アスコルビル）などが効果的に用いられる。例えば、ビタミンＡは角質化した皮膚をやわらげ、また肥厚した皮膚や毛孔壁を柔軟にして、ニキビなどのできやすい油漏性角化肌の解消などに効果を発揮する。ビタミンＥは細胞の若さを保つ働きを有し、肌荒れ、しわなどの原因となるターンオーバーの改善などに効果を発揮し、さらにシミの原因となる褐色の色素の沈着が抑制される。ビタミンＣはシミ、ソバカスの発生原因となるメラニン色素の形成を阻害すると共に、シミの要因となる活性酸素を阻害する抗酸化作用を有する。また、バイオ技術で作られたセラミドは、肌の保湿機能を高めるなどの効果を有する。
このようにこの実施形態の電子トリートメント装置１によれば、マッサージ電圧供給回路２４、クレンジング電圧供給回路２６、イオン導入電圧供給回路２５を設け、これらの回路を切り替えてマッサージモード、プラスモード、マイナスモードなどの３つの動作モードのトリートメントを行うことで、肌のトリートメントを効果的に行うことができる。
また、マイナスモードでは、マイナスの直流電圧Ｓ４とマイナスのパルス電圧Ｓ５とを重畳させてヘッド部１２に印加することで、マイナスの直流電圧Ｓ４による有効成分の広範囲な浸透と、マイナスのパルス電圧Ｓ５による有効成分のたたき込みとを同時に行うので、皮膚の奥深くにまで有効成分を浸透させることができる。
さらに、電子トリートメント装置１によれば、ケーシング１１を持つ手がグリップ電極１８から離れると、警報ブザー音が発せられるので、本装置が正しく操作されているか否かをユーザが把握することが可能となる。また、イオン導入時には、トリートメントの開始がブザー音により合図されるので、ユーザが、装置の動作状況を把握することができる。
以上、本発明を上記実施の形態により具体的に説明したが、本発明はこの実施形態にのみ限定されるものではなく、その要旨を逸脱しない範囲で種々変更可能である。
上記実施形態では、クレンジング、マッサージ、イオン導入の各動作モードについて説明したが、この他、この装置には、「引き締めモード」と「きめ・しわモード」などが用意されている。
「引き締めモード」は、周波数が１Ｈｚ〜１０Ｈｚ程度のパルスに周波数が１０Ｈｚ〜５０Ｈｚ程度のパルスを重畳した複合波が電極部に印加される。一方、「きめ・しわモード」は、周波数が１Ｈｚ〜１０Ｈｚ程度のパルスに周波数が２０Ｈｚ〜１００Ｈｚ程度のパルスを重畳した複合波がヘッド部１２及びグリップ電極１８に印加される。
上記実施形態において、強さに関しては３段階としたが、６段階、１０段階など、さらに細かく分けてもよい。
また、３つある動作モードのうち、いくつかのモードを連続的に利用することで、トリートメント効果をさらに高めることができる。例えばマッサージモードからマイナスモードへ連続的に行うことで、皮膚の毛穴が開き、有効成分が浸透しやすくなった状態でイオン導入できるので、肌に有効成分をより有効に浸透させることができる。
上記実施形態では、ヘッド部１２の皮膚への接触面が平坦面で形成されていたが、トリートメント対象の皮膚面の形状等を考慮し、ヘッド部１２の接触面の形状を曲率を持つ球面形状等で形成してもよい。また、コットン３０をヘッド部１２に貼り付けてから、肌にこれを当てるようにしてもよい。
また、上記実施形態のプラスモード、マイナスモード等では、プラスの直流電圧にプラスのパルス電圧を重畳したり、マイナスの直流電圧にマイナスのパルス電圧を重畳してヘッド部１２に印加するものであったが、例えば、図８に示すように、マイナスの直流電圧Ｓ６に、プラス・マイナスに交番する交流パルス電圧Ｓ７を重畳してヘッド部１２に印加するトリートメントモードを追加してもよい。
さらに、プラスの直流電圧や０Ｖの直流電圧に、プラス・マイナスに交番する交流パルス電圧を重畳してヘッド部１２に印加するトリートメントモードを追加してもよい。また、例えば、ヘッド部１２の先端部分に、上記コットン３０等を保持させる機構を追加して電子トリートメント装置１を構成してもよい。
【産業上の利用可能性】  以上説明したように、本発明は、美顔等のトリートメントにのみならず、首筋、手足等、身体のあらゆる肌面をトリートメントすることができる。
2004047915.tif 000003
【図２】
2004047915.tif 000004
【図３】
2004047915.tif 000005
【図４】
2004047915.tif 000006
【図５】
2004047915.tif 000007
【図６】
2004047915.tif 000008
【図７】
2004047915.tif 000009
【図８】
2004047915.tif 000010
【国際調査報告】
2004047915.tif 000011
2004047915.tif 000012
2004047915.tif 000013
2004047915.tif 000014
2004047915.tif 000015
2004047915.tif 000016